(57)【要約】  車両用のヘッドアップディスプレイシステムは、第１の表面および第２の表面を画定する第１の実質的に透明な基板と、第３の表面および第４の表面を画定する第２の実質的に透明な基板と、を有するコンバイナ画面を含む。第１の基板と第２の基板との間に１次シールが配置される。当該シールおよび第１の基板と第２の基板とは、その間に空洞を画定する。電気光学材料が、空洞内に位置し、反射偏光子が第１の表面と第２の表面との一方の上に位置する。プロジェクタが、第１の基板の第１の表面に向けられた第１の偏光を有する光を投射する。
2018533075.tif 000002
【特許請求の範囲】
【請求項１】
車両のヘッドアップディスプレイシステムであって、
第１の表面と第２の表面とを画定する第１の実質的に透明な基板、
第３の表面と第４の表面とを画定する第２の実質的に透明な基板、
前記第１の基板と前記第２の基板との間に配置された１次シールであって、当該シールおよび前記第１の基板と前記第２の基板とがその間に空洞を画定する、１次シール、
前記空洞内に位置する電気光学材料、および
前記第１の表面と前記第２の表面の一方の上に位置する反射偏光子、を含むコンバイナ画面と、
前記第１の基板の前記第１の表面に向けられる第１の偏光を有する光を投射するプロジェクタと、
を備えるヘッドアップディスプレイシステム。
【請求項２】
前記反射偏光子が、ワイヤグリッド偏光子を含み、かつ前記第１の基板の前記第２の表面上に位置する、請求項１に記載のヘッドアップディスプレイシステム。
【請求項３】
前記反射偏光子が、前記電気光学材料に電気接続されている、請求項１または２のいずれかに記載のヘッドアップディスプレイシステム。
【請求項４】
前記反射偏光子が、第２の偏光された光を透過させ、第１の偏光を有する光を反射するよう構成されている、請求項１〜３のいずれかに記載のヘッドアップディスプレイシステム。
【請求項５】
前記反射偏光子が、二重輝度向上フィルムを含む、請求項１〜４のいずれかに記載のヘッドアップディスプレイシステム。
【請求項６】
前記第１の基板が球面曲率を有する、請求項１〜５のいずれかに記載のヘッドアップディスプレイシステム。
【請求項７】
前記第１の基板と前記プロジェクタとの間に位置する第３の基板を更に備え、
前記反射偏光子が、前記第１の基板の前記第１の表面の上に位置する、請求項１〜６のいずれかに記載のヘッドアップディスプレイシステム。
【請求項８】
前記コンバイナ画面が、前記プロジェクタからの光に対して約５０％より大きい反射率を有する、請求項１〜７のいずれかに記載のヘッドアップディスプレイシステム。
【請求項９】
ヘッドアップディスプレイ用のコンバイナ画面であって、
離間した構成で位置する少なくとも２つの実質的に透明な基板と、
前記少なくとも２つの実質的に透明な基板の間に位置する電気光学材料と、
前記電気光学材料と前記基板の少なくとも１つとの間に位置する反射偏光子と、
導電層であって、前記反射偏光子と当該導電層とが前記電気光学材料の対向側に位置する、導電層と、
を備えるコンバイナ画面。
【請求項１０】
前記反射偏光子が導電性である、請求項９に記載のコンバイナ画面。
【請求項１１】
前記反射偏光子がワイヤグリッド偏光子である、請求項９または１０のいずれかに記載のコンバイナ画面。
【請求項１２】
前記少なくとも２つの実質的に透明な基板が、３つの実質的に透明な基板を含む、請求項９〜１１のいずれかに記載のコンバイナ画面。
【請求項１３】
前記反射偏光子が、垂直偏光された光を反射するよう構成されている、請求項９〜１２のいずれかに記載のコンバイナ画面。
【請求項１４】
車両のヘッドアップディスプレイシステムであって、
第１の偏光の光を投射するためのプロジェクタと、
第１の表面と第２の表面とを画定する実質的に透明な基板であって、当該基板は少なくとも１つの軸に沿って湾曲している、実質的に透明な基板、および
前記実質的に透明な基板の前記第２の表面上に位置する反射偏光子、を含むコンバイナ画面と、を備え、
前記コンバイナ画面は、約４０％より大きい前記第１の偏光の光の反射率を有する、ヘッドアップディスプレイシステム。
【請求項１５】
前記実質的に透明な基板より前記反射偏光子の対向側に位置する電気光学素子
を更に備える、請求項１４に記載のヘッドアップディスプレイシステム。
【請求項１６】
前記基板が少なくとも２つの軸に沿って湾曲している、請求項１４および１５のいずれかに記載のヘッドアップディスプレイシステム。
【請求項１７】
前記基板が約１２５０ｍｍ以下の球面曲率半径を有する、請求項１４〜１６のいずれかに記載のヘッドアップディスプレイシステム。
【請求項１８】
前記基板が約７５０ｍｍ以下の球面曲率半径を有する、請求項１４〜１７のいずれかに記載のヘッドアップディスプレイシステム。
【請求項１９】
前記反射偏光子が二重輝度向上フィルムを含む、請求項１４〜１８のいずれかに記載のヘッドアップディスプレイシステム。
【請求項２０】
前記反射偏光子と電気接続している電気光学材料
を更に備える、請求項１４〜１９のいずれかに記載のヘッドアップディスプレイシステム。
【発明の詳細な説明】
【技術分野】
【０００１】
本開示は概してヘッドアップディスプレイに関し、より具体的には、半透過層を有するヘッドアップディスプレイに関する。
【背景技術】
【０００２】
車両用のヘッドアップディスプレイは、表示装置を透過した周囲光にオーバーレイされた情報を提供する場合がある。一部の状況においては、表示装置の表面からの反射は、望ましくない二重像を生じる場合がある。
【発明の概要】
【０００３】
本開示の少なくとも１つの態様によると、車両用のヘッドアップディスプレイシステムは、第１の表面および第２の表面を画定する第１の実質的に透明な基板と、第３の表面および第４の表面を画定する第２の実質的に透明な基板と、を有するコンバイナ画面を含む。第１の基板と第２の基板との間に１次シールが配置される。当該シールおよび第１の基板と第２の基板とは、その間に空洞を画定する。電気光学材料が、当該空洞内に位置し、反射偏光子が第１の表面と第２の表面との一方の上に位置する。プロジェクタが、第１の基板の第１の表面に向けられる第一の偏光を有する光を投射する。
【０００４】
本開示の別の態様によると、ヘッドアップディスプレイ用のコンバイナ画面は、離間した構成で位置する少なくとも２つの実質的に透明な基板を含む。電気光学材料が、少なくとも２つの実質的に透明な基板の間に位置する。反射偏光子が、電気光学材料と基板の少なくとも１つとの間に位置する。コンバイナ画面は、導電層を含む。反射偏光子および導電層は、電気光学材料の対向側に位置する。
【０００５】
本開示の別の態様によると、車両用のヘッドアップディスプレイシステムは、第一の偏光の光を投射するためのプロジェクタとコンバイナ画面とを含む。コンバイナ画面は、第１の表面と第２の表面とを画定する実質的に透明な基板を含む。当該基板は少なくとも１つの軸に沿って湾曲している。反射偏光子が、実質的に透明な基板の第２の表面上に位置する。コンバイナ画面は、約４０％より大きい第一の光の偏光の反射率を有する。
【０００６】
本発明のこれらの及び他の特徴、利点及び目的は、以下の明細書、特許請求の範囲及び添付の図面を参照することにより、当業者によって更に理解されかつ認識される。
【０００７】
図面において：
【図面の簡単な説明】
【０００８】
【図１Ａ】図１Ａは、一実施例によるヘッドアップディスプレイシステムの正面図である。
【０００９】
【図１Ｂ】図１Ｂは、別の実施例によるヘッドアップディスプレイシステムの正面図である。
【００１０】
【図２Ａ】図２Ａは、一実施例による、図１Ａの線ＩＩＡにおけるコンバイナ画面の断面図である。
【００１１】
【図２Ｂ】図２Ｂは、一実施例による、図１Ａの線ＩＩＢにおけるコンバイナ画面の断面図である。
【００１２】
【図２Ｃ】図２Ｃは、一実施例による、図１Ａの線ＩＩＣにおけるコンバイナ画面の断面図である。
【００１３】
【図３Ａ】図３Ａは、別の実施例による、図１Ａの線ＩＩＩＡにおけるコンバイナ画面の断面図である。
【００１４】
【図３Ｂ】図３Ｂは、別の実施例による、図１Ａの線ＩＩＩＢにおけるコンバイナ画面の断面図である。
【００１５】
【図４Ａ】図４Ａは、一実施例によるヘッドアップディスプレイシステムの概略図である。
【００１６】
【図４Ｂ】図４Ｂは、別の実施例によるヘッドアップディスプレイシステムの概略図である。
【発明を実施するための形態】
【００１７】
本発明の追加の特徴および利点は、以下の詳細な記述において説明され、この記述から当業者に明らかとなる、あるいは、特許請求の範囲および添付図面と共に以下の記述で記載されるように本発明を実行することで認識される。
【００１８】
本明細書で用いられる、２つ以上のアイテムの列挙で用いられる場合の“および／または”という用語は、列挙されるアイテムのいずれか１つがそれだけで用いられ得る、あるいは、列挙されるアイテムのうち２つ以上のアイテムのあらゆる組合せが用いられ得ることを意味する。例えば、ある組成物が成分Ａ、Ｂおよび／またはＣを含有するとして記載される場合、当該組成物は、Ａを単独で；Ｂを単独で；Ｃを単独で；ＡおよびＢを組合せて；ＡおよびＣを組合せて；ＢおよびＣを組合せて；または、Ａ、ＢおよびＣを組合せて含有しうる。
【００１９】
本文書において、第１及び第２とか、上及び下などといった関係を示す用語は、一つの実体または動作を別の実体または動作から区別するために使用され、かかる実体または動作間の何らかの実際のかかる関係または順序を必ずしも要求ないし暗示するものではない。「備える／含む（ｃｏｍｐｒｉｓｅｓ、ｃｏｍｐｒｉｓｉｎｇ）」という用語、またはそれらの任意の他の変形は、要素の一覧を備える／含むプロセス、方法、物品、または装置が、それらの要素のみを含むのではなく、明示的に列挙されていないか、あるいは、かかるプロセス、方法、物品、もしくは装置にとって本質的でない他の要素をも含み得るように、非排他的な包含を網羅することが意図されたものである。「・・・を備える」に前置される要素は、更なる制約が無ければ、その要素を含むプロセス、方法、物品、または装置の追加的な同一要素の存在を排除しない。
【００２０】
図１Ａ乃至図２Ａに関して、参照符号１０は、車両１４のヘッドアップディスプレイシステム全体を示す。ヘッドアップディスプレイ１０は、コンバイナ画面１８を含み得る。コンバイナ画面１８は、第１の表面２２Ａと第２の表面２２Ｂを画定する第１の実質的に透明な基板２２を含み得る。第２の実質的に透明な基板２６は、第３の表面２６Ａと第４の表面２６Ｂを画定する。１次シール３４が、第１の基板２２と第２の基板２６との間に配置される。シール３４および第１の基板２２と第２の基板２６は、離間した構成（形態）で位置して、その間に空洞３８を画定する。電気光学材料４２が、空洞３８内に位置する。半透過層４６が、第１の表面２２Ａ上に位置する。プロジェクタ５０が、第１の基板２２の第１の表面２２Ａに向けて光を投射する。プロジェクタ５０からの光は、偏光されていなくとも偏光されていてもよい。プロジェクタ５０から放射された偏光された光は、水平または垂直偏光角（例えば、第１または第２の光の偏光）、４５°偏光角またはその間の変量の角度偏光を有し得る。
【００２１】
図１Ａおよび図１Ｂに関して、ヘッドアップディスプレイシステム１０は、車両１４内に示される。車両１４内が示されるが、ヘッドアップディスプレイシステム１０は、航空宇宙産業用途、窓用途、透明性用途、拡張現実用途、およびその他の、ビューアが情報（例えば、車両関連機能、または、警報、注意または車両診断などの運転者支援システム）とコンバイナ画面１８の後方にある物との両方を見ることを望む用途において、等しく用いられ得ることが理解される。一例として、図１Ａおよび図１Ｂにおいて、車両１４の速度が速度計の画像を用いてコンバイナ画面１８上に表示されている。ヘッドアップディスプレイは、多くの自動車および航空宇宙産業用途に用いられて、運転者またはパイロットに情報を提示すると共に、同時の前方視覚を可能にする。車両１４内の図示する実施例において、コンバイナ画面１８は、計器パネル６２および／またはクラスタフード６６（図１Ａ）から延在しても、車両１４のフロントガラス７０上に直接位置しても、または車両１４のフロントガラス７０の一部として組み込まれてもよい（図１Ｂ）。コンバイナ画面１８が計器パネル６２および／またはクラスタフード６６から延在する実施例では、コンバイナ画面１８は独立型の構成要素であり得る。こうした実施例は、フロントガラス７０とは異なる形状（例えば、曲率）をコンバイナ画面１８に付与するのに有利であり得る。コンバイナ画面１８がフロントガラス７０の上または内部に位置付けられる実施例では、コンバイナ画面１８はフロントガラス７０と１つ以上の基板（例えば、第１の基板２２または第２の基板２６）を共有してもよい。こうした実施例は、ヘッドアップディスプレイシステム１０と車両１４の複雑さ、重量および製造コストを低減するのに有利であり得る。
【００２２】
プロジェクタ５０は、コンバイナ画面１８に近接して位置し、以下により詳細に説明されるように、光をコンバイナ画面１８上に投射して、意図されているビューア（例えば、車両１４の運転者または乗員）に向けて反射される画像を形成する。プロジェクタ５０は、車両１４のクラスタフード６６に近接して位置付けられても、ルーフ７４に位置付けられてもよい。プロジェクタ５０は、特定の液晶表示（ＬＣＤ）、レーザダイオードおよび有機発光ダイオード（ＯＬＥＤ）を含むがこれらに限定されない、偏光されていないまたは偏光された光を生成可能な光エンジンである。プロジェクタ５０の偏光された光の実施例では、放射された偏光された光は、水平または垂直あるいはその間の変量の偏光角度を有し得る。一部の例では、プロジェクタ５０からの偏光された光は、円偏光されてもよい。例えば、光の円偏光は、プロジェクタ５０からの直線偏光された光が１／４波長板を透過する場合に達成され得る。ヘッドアップディスプレイシステム１０のコンバイナ画面１８は、以下により詳細に説明されるように、結果としての反射像がコンバイナ画面１８の前方と車両１４の前方に「現れる」ように成形される。この特徴を達成するために必要なコンバイナ画面１８の正確な表面輪郭は、プロジェクタ５０のプロパティ、コンバイナ画面１８の位置、プロジェクタ５０の位置、およびビューア（例えば、情報の表示が企図される運転者および／または搭乗者）の位置の関数である。車両１４の前方に画像を投射することにより、ビューアは、ビューアの目の焦点距離を変更することなく所望の情報を取得することができる。車両１４内に位置付けられる従来の表示装置では、ビューアの目はしばしばより短い視距離に再び焦点を合わせなければならず、道路を視る時間が少なくなる。さらに、ビューアの目は前方の道路にも再び焦点を合わせなければならず、このことは道路および前方の状態を視る時間をさらに少なくする。また、コンバイナ画面１８の形状は、投射された画像の基本的な特徴を維持するように（つまり、直線は直線のまま、画像の縦横比は維持する等）選択されなければならない。
【００２３】
車両１４の運転者側を図示するが、ヘッドアップディスプレイシステム１０またはその構成要素（例えば、コンバイナ画面１８および／またはプロジェクタ５０）は、本明細書に提供する教示から逸脱することなく、車両１４の助手席側、またはフロントガラス７０の上部、に位置してもよいことが理解される。一実施例によると、コンバイナ画面１８は、フロントガラス７０の上、または近接位置、上部に位置してもよい。以下により詳細に説明されるように、コンバイナ画面１８は、異なる透過率レベルで動作して、種々の機能に影響を及ぼし得る。例えば、車両１４の前方の周囲光レベルが比較的高い場合には、コンバイナ画面１８を暗い状態で動作させて、そこから反射される情報の可視性を高めてもよい。別の例では、コンバイナ画面１８は暗い状態で動作して、ビューアの目を日光の入射から遮光するサンバイザーとして機能してもよい。このように、コンバイナ画面１８の透過率レベルは、表示機能とは独立して調整され得る。すなわち、コンバイナ画面１８の透過率レベルは、情報が表示されているか否か、またはプロジェクタ５０が光を放射しているか否か、に関わらず調整可能である。一部の例では、１より多いコンバイナ画面１８を有することが望ましい場合がある。例えば、第１のコンバイナ画面１８が、運転者側に位置して、運転者に情報（例えば、車両関連情報）を表示する、および／またはサンバイザーとして機能してもよい。第２のコンバイナ画面１８が、助手席側に位置して、同乗者に情報（例えば、車両関連情報および／または映画やゲームなどのメディア）を表示する、および／またはサンバイザーとして機能してもよい。本明細書に記載のコンバイナ画面１８の種々の機能は、自動でおよび／または手動で制御され得るよう企図される。例えば、コンバイナ画面１８は、車両光センサ（例えば、フロントガラス７０に近接するまたはバックミラーアセンブリ内の）によって感知された周囲光レベルに応答して暗化されてもよい。種々の実施例によると、コンバイナ画面１８は、透明な状態において故障する（つまり、なおも周囲光がコンバイナ画面１８を透過し得る）よう構成されてもよい。
【００２４】
次に図２Ａを参照すると、図示の実施例で、コンバイナ画面１８は第１の基板２２と第２の基板２６を含む。第１の基板２２は、ガラス（例えば、ソーダ石灰ガラス）などの実質的に透明な材料、高分子材料（例えば、アクリルおよび／またはポリカーボネート）、またはその組み合わせ、からなってもよい。第１の基板２２の厚みは、約２．２ｍｍ、２．０ｍｍ、１．５ｍｍ、１．２ｍｍより小さく、または約１．０ｍｍより小さくし得る。第１の基板２２は、四角形、長方形、円形、楕円形およびその組み合わせを含む種々の形状をとり得る。第１の基板２２の長さおよび／または幅の寸法は、約１０ｍｍ、２０ｍｍ、５０ｍｍ、７５ｍｍ、８５ｍｍ、１００ｍｍ、１５０ｍｍ、１７５ｍｍ、２００ｍｍ、２５０ｍｍ、３００ｍｍまたは５００ｍｍより大きくし得る。種々の実施例によると、第１の基板２２は、当該基板２２の長さまたは幅（つまり、縦軸または横軸）にわたる曲率を有してもよい。例えば、第１の基板２２の曲率半径（つまり、第一の表面２２Ａの曲率の理論上の中心点から測定される）は、約２０００ｍｍ、１５００ｍｍ、１３００ｍｍ、１２５０ｍｍ、１２００ｍｍ、１１００ｍｍ、１０００ｍｍ、９００ｍｍ、８００ｍｍ、７００ｍｍ、６００ｍｍ、５００ｍｍ、４００ｍｍ、３００ｍｍ、２００ｍｍより小さくまたは約１００ｍｍより小さくし得る。具体的な実施例では、第１の基板２２の第１の表面２２Ａは、約５００ｍｍとし得る。球面曲率の第１の基板２２の実施例では、第１の表面２２Ａの縦方向および横方向の曲率半径をほぼ等しくし得る（例えば、約５００ｍｍ）。さらに別の実施例では、第１の基板２２は「自由形式」の形状を有するよう湾曲し得る（例えば、縦および／または横方向に沿って曲率が変化し得る）。第１の基板２２の曲率は、第１の基板２２をビューアに対して実質的に凸状または凹状とし得る。第１の基板２２は複数の別個の構成要素から互いに「ステッチ」されてより大きな第１の基板２２を形成してもよいことが理解される。ステッチされる第１の基板２２の実施例の別個の構成要素の寸法、厚みおよび／または曲率は、当該別個の構成要素間で等しくても違ってもよい。
【００２５】
図示の実施例で、第１の基板２２は電気光学素子７８の一部である。電気光学素子７８は、第１の基板２２、第２の基板２６、１次シール３４および電気光学材料４２を含む。第２の基板２６は、ガラス（例えば、ソーダ石灰ガラス）などの実質的に透明な材料、高分子材料（例えば、アクリル）、またはその組み合わせ、からなってもよい。第２の基板２６は、第１の基板２２と同一または異なる寸法、厚みおよび／または曲率半径を有し得ることが理解される。さらに、第２の基板２６は、第１の基板２２に関して記載したのと同様の方法で互いに「ステッチ」されてもよいことが理解される。具体的な実施例で、第２の基板２６は、約１．６ｍｍの厚みとし得る。第２の基板２６は、第１の基板２２のそれと同様に、その長さおよび幅に沿った曲率を有し得る。具体的な実施例で、第２の基板２６は、約１２５０ｍｍの球面曲率半径を有してもよい。第１の基板２２および第２の基板２６の縁部は、通常丸みを付けられてもよい。丸み付き縁部の曲率半径は、約２．５ｍｍより大きくし得る。
【００２６】
２つの剛体基板（例えば、第１の基板２２と第２の基板２６）を積層する場合、最終の積層における応力を最小化することが重要である。例えば、厚み３ｍｍの２片のベントガラスがあり、各片の曲率が良好に合致しない場合、当該２片を平行に保持するのに必要な力は大きく、特に自動車用途や航空宇宙産業用途において見受けられることが多い昇温状態では時間の経過によって積層が剥がれる場合がある。この応力問題に対する解決法の１つは、確実に基板の曲率を非常に正確に合致させることである。具体的な実施例で、第１の基板２２と第２の基板２６、および以下に記載する全ての中間層は、昇温状態において共に湾曲または曲げられて合致するペアを形成し得て、これによって第１の基板２２と第２の基板２６の間に高い曲率一致があるようにされ得る。
【００２７】
図示の実施形態で、それぞれ第１の基板２２および第２の基板２６の第２の表面２２Ｂおよび第３の表面２６Ａ上に位置するのは、導電層８６である。導電層８６には、透明金属酸化物（例えば、酸化インジウムスズ、Ｆ：ＳｎＯ２、ＺｎＯ、ＩＺＯ）カーボン（グラフェンおよび／またはグラファイト）および／または導電金属メッシュ（例えば、ナノワイヤ）などの透明導電体が含まれ得る。酸化インジウムスズの実施例では、導電層８６のシート抵抗は、約１２ｏｈｍ／ｓｑとし得る。
【００２８】
第１の基板２２および第２の基板２６は、平行関係に位置され、１次シール３４を用いて外周の周りをシールされてもよい。シール３４は、第２の表面２２Ｂおよび第３の表面２６Ａの周りに延在して電気光学材料４２を第１の基板２２と第２の基板２６の間に閉じ込める。第１の基板と第２の基板との間にシールを形成することに関する追加の情報は、「ＭＥＴＨＯＤ  ＯＦ  ＦＯＲＭＩＮＧ  ＯＰＴＩＣＡＬＬＹ  ＴＲＡＮＳＰＡＲＥＮＴ  ＳＥＡＬ  ＡＮＤ  ＳＥＡＬ  ＦＯＲＭＥＤ  ＢＹ  ＳＡＩＤ  ＭＥＴＨＯＤ」と題された米国特許第５，７９０，２９８号に見出すことができ、その全体が当該引用によって本明細書に組み込まれる。
【００２９】
一実施例によると、電気光学素子７８は、液晶媒体（例えば、電気光学材料４２）を含み、コンバイナ画面１８を透過する光を減衰させる（つまり、コンバイナ画面１８の光透過を減少させる）よう構成された、液晶装置とし得る。別の実施例では、電気光学素子７８は、浮遊粒子装置とし得る。さらに別の実施例では、電気光学素子７８は、エレクトロクロミック素子とし得る。このような実施例では、電気光学素子７８の電気光学材料４２は、少なくとも１つの溶媒と、少なくとも１種類の陽極材料と、少なくとも１種類の陰極材料と、を含むエレクトロクロミック媒体である。通常、陽極材料および陰極材料は、両方とも電気活性材料であり、また、それらの少なくとも１つはエレクトロクロミックである。その通常の意味にかかわらず、用語「電気活性（ｅｌｅｃｔｒｏＡｃｔｉｖｅ）」は、本明細書では、特定の電位差に曝されたときにその酸化状態が変化する材料を意味し得ることが理解される。さらに、「エレクトロクロミック」という用語は、その通常の意味にかかわらず、特定の電位差に曝されたときに１つまたは複数の波長でその消光係数に変化を示す材料を意味し得ることが理解されよう。本明細書に記載のエレクトロクロミック成分は、電流が当該材料に加えられると色または不透明度が第１相から第２相に変化するように、色または不透明度が電流によって影響を受ける材料を含む。エレクトロクロミック成分は、単層、単相成分、多層成分、または多相成分であり得、「Ｅｌｅｃｔｒｏｃｈｒｏｍｉｃ  Ｌａｙｅｒ  Ａｎｄ  Ｄｅｖｉｃｅｓ  Ｃｏｍｐｒｉｓｉｎｇ  Ｓａｍｅ」と題する米国特許第５，９２８，５７２号、「Ｅｌｅｃｔｒｏｃｈｒｏｍｉｃ  Ｃｏｍｐｏｕｎｄｓ」と題する米国特許第５，９９８，６１７号、「Ｅｌｅｃｔｒｏｃｈｒｏｍｉｃ  Ｍｅｄｉｕｍ  Ｃａｐａｂｌｅ  Ｏｆ  Ｐｒｏｄｕｃｉｎｇ  Ａ  Ｐｒｅｓｅｌｅｃｔｅｄ  Ｃｏｌｏｒ」と題する米国特許第６，０２０，９８７号、「Ｅｌｅｃｔｒｏｃｈｒｏｍｉｃ  Ｃｏｍｐｏｕｎｄｓ」と題する米国特許第６，０３７，４７１号、「Ｅｌｅｃｔｒｏｃｈｒｏｍｉｃ  Ｍｅｄｉａ  Ｆｏｒ  Ｐｒｏｄｕｃｉｎｇ  Ａ  Ｐｒｅ−ｓｅｌｅｃｔｅｄ  Ｃｏｌｏｒ」と題する米国特許第６，１４１，１３７号、「Ｅｌｅｃｔｒｏｃｈｒｏｍｉｃ  Ｓｙｓｔｅｍ」と題する米国特許第６，２４１，９１６号、「Ｎｅａｒ  Ｉｎｆｒａｒｅｄ−Ａｂｓｏｒｂｉｎｇ  Ｅｌｅｃｔｒｏｃｈｒｏｍｉｃ  Ｃｏｍｐｏｕｎｄｓ  Ａｎｄ  Ｄｅｖｉｃｅｓ  Ｃｏｍｐｒｉｓｉｎｇ  Ｓａｍｅ，」と題する米国特許第６，１９３，９１２号、「Ｃｏｕｐｌｅｄ  Ｅｌｅｃｔｒｏｃｈｒｏｍｉｃ  Ｃｏｍｐｏｕｎｄｓ  Ｗｉｔｈ  Ｐｈｏｔｏｓｔａｂｌｅ  Ｄｉｃａｔｉｏｎ  Ｏｘｉｄａｔｉｏｎ  Ｓｔａｔｅｓ」と題する米国特許第６，２４９，３６９号、そして「Ｅｌｅｃｔｒｏｃｈｒｏｍｉｃ  Ｍｅｄｉａ  Ｗｉｔｈ  Ｃｏｎｃｅｎｔｒａｔｉｏｎ  Ｅｎｈａｎｃｅｄ  Ｓｔａｂｉｌｉｔｙ，  Ｐｒｏｃｅｓｓ  Ｆｏｒ  Ｔｈｅ  Ｐｒｅｐａｒａｔｉｏｎ  Ｔｈｅｒｅｏｆ  ａｎｄ  Ｕｓｅ  Ｉｎ  Ｅｌｅｃｔｒｏｃｈｒｏｍｉｃ  Ｄｅｖｉｃｅｓ」と題する米国特許第６，１３７，６２０号、「Ｅｌｅｃｔｒｏｃｈｒｏｍｉｃ  Ｄｅｖｉｃｅ」と題する米国特許出願公開第２００２／００１５２１４号、そして「Ｅｌｅｃｔｒｏｃｈｒｏｍｉｃ  Ｐｏｌｙｍｅｒｉｃ  Ｓｏｌｉｄ  Ｆｉｌｍｓ，  Ｍａｎｕｆａｃｔｕｒｉｎｇ  Ｅｌｅｃｔｒｏｃｈｒｏｍｉｃ  Ｄｅｖｉｃｅｓ  Ｕｓｉｎｇ  Ｓｕｃｈ  Ｓｏｌｉｄ  Ｆｉｌｍｓ，  Ａｎｄ  Ｐｒｏｃｅｓｓｅｓ  Ｆｏｒ  Ｍａｋｉｎｇ  Ｓｕｃｈ  Ｓｏｌｉｄ  Ｆｉｌｍｓ  Ａｎｄ  Ｄｅｖｉｃｅｓ」と題する国際特許出願ＰＣＴ／ＵＳ９８／０５５７０号、「Ｅｌｅｃｔｒｏｃｈｒｏｍｉｃ  Ｐｏｌｙｍｅｒ  Ｓｙｓｔｅｍ」と題する国際特許出願ＰＣＴ／ＥＰ９８／０３８６２号、および「Ｅｌｅｃｔｒｏｃｈｒｏｍｉｃ  Ｐｏｌｙｍｅｒｉｃ  Ｓｏｌｉｄ  Ｆｉｌｍｓ，  Ｍａｎｕｆａｃｔｕｒｉｎｇ  Ｅｌｅｃｔｒｏｃｈｒｏｍｉｃ  Ｄｅｖｉｃｅｓ  Ｕｓｉｎｇ  Ｓｕｃｈ  Ｓｏｌｉｄ  Ｆｉｌｍｓ，  Ａｎｄ  Ｐｒｏｃｅｓｓｅｓ  Ｆｏｒ  Ｍａｋｉｎｇ  Ｓｕｃｈ  Ｓｏｌｉｄ  Ｆｉｌｍｓ  Ａｎｄ  Ｄｅｖｉｃｅｓ」と題する国際特許出願ＰＣＴ／ＵＳ９８／０５５７０号、に記載され、それらのすべては当該参照によりその全体が本明細書に組み込まれる。種々の実施例によると、電気光学素子７８は、故障した場合になおもコンバイナ画面１８が使用可能となるように透明な状態となるよう構成され得る。エレクトロクロミックの電気光学素子７８の実施例の使用は、エレクトロクロミックが非常に広域なグレースケールを有し得るために、有利となり得る。さらに、エレクトロクロミックのグレースケールを角度非依存にして、運転者がコンバイナ画面１８に対する運転者の視点を移動させたときに電気光学素子７８の知覚された暗化が変化しないようにしてもよい。
【００３０】
次に図２Ａおよび２Ｂを参照すると、コンバイナ画面１８は１つ以上の半透過層４６を含んでもよい。半透過層４６は、入射光の一部を透過し、入射光の一部を反射し得る層である。種々の実施例によると、半透過層４６は、任意の偏光角の光の割合を反射するよう構成され得る、または特定の偏光角のみの光を反射するよう構成され得る。半透過層４６は、プロジェクタ５０からの１次画像を反射する（図１Ａ）と同時に周囲光がコンバイナ画面１８を透過するよう構成される。図示する実施例で、半透過層４６は、第１の基板２２の第１の表面２２Ａ上（図２Ａ）、および／または第１の基板２２の第２の表面２２Ｂ上に位置し得る。あるいは、半透過層４６は、本明細書に提供する教示から逸脱することなく、第３の表面２６Ａや第４の表面２６Ｂ上に位置し得ることが理解される。半透過層４６および導電層８６（例えば、第３の表面２６Ａ上の）は、電気光学材料４２の対向側に位置する。
【００３１】
種々の実施例によると、半透過層４６は、１つ以上の反射偏光子を含み得る。こうした反射偏光子には、フィルムが含まれ得る。半透過層４６としての反射偏光子の使用は、ヘッドアップディスプレイシステム１０の効率を増大させ得る。例えば、５０％反射の非偏光感応性のリフレクタは、偏光された光の５０％を反射して残りを透過する。これに対して、反射偏光子は、その反射軸がプロジェクタ５０によって出力される光の偏光角に平行となるように配向される場合、偏光された光の約１００％が反射され、周囲光の約５０％が透過される（例えば、周囲光のランダムな偏光角のために）。反射偏光子には、ワイヤグリッド偏光子、または二重輝度向上フィルム（ＤＢＥＦ）偏光子などの多層プラスチックフィルム、が含まれ得る
【００３２】
ＤＢＥＦフィルム反射偏光子を組み込む半透過層４６の実施例では、反射偏光子は湾曲した実施例の第１および／または第２の基板２２、２６に直接積層され得る。平坦な剛体基板へのフィルムの積層は当該技術において公知であるが、反射偏光子、特にＤＢＥＦフィルムの実施例の反射偏光子を湾曲した基板へ積層することが、優れた半透過層４６を生成し得ることが発見された。さらには、驚くべきことに、そして予期せずに、ＤＢＥＦフィルムを２次元（例えば、球面曲面）に湾曲した基板にうまく積層し得ることを発見した。ＤＢＥＦフィルムの実施例の半透過層４６は、縦および／または横方向に約５００ｍｍ、６００ｍｍ、７００ｍｍ、８００ｍｍ、９００ｍｍ、１０００ｍｍ、１１００ｍｍ、１２００ｍｍ、１２３０ｍｍ、１３００ｍｍ、１４００ｍｍ、または約１５００ｍｍ以上の曲率半径を有する基板（例えば、第１の基板２２および／または第２の基板２６）に積層され得る。積層された実施例のＤＢＥＦフィルムの周囲光の反射率は、約５％、１０％、２０％、３０％、４０％。４５％、４９％、５０％より大きく、または約５１％より大きくし得る。積層された実施例のＤＢＥＦフィルムの周囲光の透過率は、約５％、１０％、２０％、３０％、４０％。４５％、４９％、５０％より大きく、または約５１％より大きくし得る。さらに、積層された実施例のＤＢＥＦフィルムの、反射偏光子の反射偏光角と実質的に等しい偏光角を有する光の反射率は、約３０％、４０％、５０％、６０％、７０％、８０％、９０％、９１％、９５％、または９９％より大きくし得る。具体的な実施例によると、ＤＢＥＦフィルムは、球面半径５００ｍｍおよびサイズ１７５ｍｍ×８５ｍｍの２片のソーダ石灰ガラスの間に位置しかつ積層される。積層された実施例の反射率は約５１％であり、透過率は約４６％である。交差した吸収型直線偏光子で測定した場合、透過率は約１．５％まで落ちる。平坦なガラス基板を有する類似の構成は、同一の結果を生じ、この構成において、曲がった基板に積層する結果として反射偏光子プロパティが変化しないことを実証する。
【００３３】
次に図２Ｂを参照すると、ヘッドアップディスプレイ１０のコンバイナ画面１８の代替例が示される。図示する実施例で、半透過層４６は、電気光学素子７８内で第１の基板２６の第２の表面２２Ｂ上に位置する。こうした実施例では、半透過層４６は、ワイヤグリッド偏光子を含み得る。半透過層４６は、本明細書に提供する教示から逸脱することなく、第３の表面２６Ａ上に塗布されてもよい。図示する実施例で、半透過層４６は、電気光学素子７８の電気光学材料４２に電力を提供する導電層８６の１つとして機能する。換言すると、ワイヤグリッド偏光子の実施例の半透過層は、電気光学材料４２に電気接続される。
【００３４】
図示する構成において（つまり、電気光学素子７８内に）半透過層４６としてワイヤグリッド偏光子を使用することは、いくつかの利点を提供し得る。ワイヤグリッドが導電性である場合、これを電気光学装置７８の導電層８６の１つとして使用して、ワイヤグリッド偏光子が半透過層４６と電極との両方として機能するようしてもよい。この半透過層４６の実施例を他のコーティングと組み合わせて導電性を向上させ、電極としてより良好に機能するようにしてもよい。ワイヤグリッド偏光子／導電層８６を、プロジェクタ５０の偏光角と整合して、１次画像の反射を最大としてもよい。
【００３５】
次に図２Ａおよび２Ｂを参照すると、電気光学素子７８を組み込むコンバイナ画面１８の実施例に関して、コンバイナ画面１８上に投射された画像は、あらゆる状態においても見えるだけ十分に明るくなければならない。このことは、特に車両１４の外側の照明が明るいときに問題となる。コンバイナ画面１８からの反射光とコンバイナ画面１８後方の照明との間のコントラストは、晴天では低くなる場合がある。明るく、より強い照明源（例えば、プロジェクタ５０）は、コントラストを改善し、コンバイナ画面１８の反射像の輝度を増大させるが、最も経済的な解決法とは言えず、また、非常に明るい日中の条件下で適切なコントラストを提供するのに十分に明るい反射像は別の条件下では明るすぎる場合がある。制御を用いて輝度の変動に対処し得るが、コンバイナ画面１８の特定の背景は、車両１４が移動するとき、および運転者の目の位置に部分的に応じて、常に変化する。したがって、上記の通り、電気光学素子７８は、コンバイナ画面１８の透過率を下げてコンバイナ画面１８の背景に対する反射像のコントラストを増大させるように構成され得る。
【００３６】
以上で説明したように、暗くされていない状態での透過率の上昇または低下、最適なコントラスト比に対する異なる反射率値、および／または、用途に応じたより広範な透過率レベルの動的範囲、のニーズが存在し得る。コンバイナ画面１８の反射率および透過率プロパティの初期および範囲は、プロジェクタ５０の能力およびその光出力能力と共にフロントガラス７０（図１Ａ）の光透過率レベルによって、さらに複雑となる。フロントガラス７０は、コンバイナ画面１８のコントラスト比および可視性に直接影響し得る。フロントガラス７０の透過率レベルに影響を及ぼすいくつかのファクタがある。フロントガラス７０の最小の光透過率は、車両１４が販売される地域の規制に基づくが、車両１４がどのように装備されて市販されるかに基づいてより高い透過率レベルが存在し得る。この範囲のファクタは、異なる車両および環境条件に適合し得る解決法に対するニーズを生み出す。したがって、電気光学素子７８は、制御回路からの入力に基づいてコンバイナ画面１８を透過する光の量を変動させるよう制御され得る。例えば、日中の条件下では、コンバイナ画面１８は暗くされてコントラスト比を向上させ、コンバイナ画面１８からの反射像の可視性を向上可能とし得る。
【００３７】
電気光学素子７８は、約２５％のクリアな状態の反射率および約２４％の透過率を有し得る。電気光学素子７８は、約１０．５％のローエンド透過率と約１５％のローエンド反射率を有し得る。あるいは、別の実施例では、ハイエンド透過率は約４５％、さらには約６０％より大きくし得る。装置の特徴を、ローエンド透過率が約７．５％より小さく、さらには約５％よりも小さくなるように変更してもよい。一部の実施例では、透過率レベルは約２．５％以下まで下げることも可能である。ハイエンド透過率の増大は、以上で説明する通り、吸光性の低いコーティングおよび材料の使用により得られ得る。ローエンド透過率の低下は、吸光性の高い材料の含有を通して得られ得る。広域な動的範囲を所望する場合には、吸光生の低い材料を、活性状態において高い吸光を達成する電気光学材料４２及びセル間隔と組み合わせて使用し得る。当業者は、特定の装置特徴を達成するために選択可能な、コーティングと電気光学材料４２、セル間隔とコーティング導電性レベル、の多数の組み合わせが存在することを認識する。
【００３８】
次に図２Ｃを参照すると、図示の実施例で、コンバイナ画面１８は第３の基板３０を含む。第３の基板３０は、第５の表面３０Ａと第６の表面３０Ｂを画定し得る。第３の基板３０は、ガラス（例えば、ソーダ石灰ガラス）などの実質的に透明な材料、高分子材料（例えば、アクリル）、またはその組み合わせ、からなってもよい。第３の基板３０の厚みは、約２．２ｍｍ、２．０ｍｍ、１．５ｍｍ、１．２ｍｍ、１．０ｍｍ、０．８ｍｍ、０．６ｍｍより小さく、または約０．５ｍｍより小さくし得る。第３の基板３０は、四角形、長方形、円形、楕円形およびその組み合わせを含む種々の形状をとり得る。第３の基板３０の長さおよび／または幅の寸法は、約１０ｍｍ、２０ｍｍ、５０ｍｍ、７５ｍｍ、８５ｍｍ、１００ｍｍ、１５０ｍｍ、１７５ｍｍ、２００ｍｍ、２５０ｍｍ、３００ｍｍまたは５００ｍｍより大きくし得る。種々の実施例によると、第３の基板３０は、基板３０の長さまたは幅（つまり、縦軸または横軸）にわたる曲率を有し得る。例えば、第３の基板３０の曲率半径（第５の表面３０Ａの曲率の理論上の中心点から測定される）は、約１３００ｍｍ、１２００ｍｍ、１１００ｍｍ、１０００ｍｍ、９００ｍｍ、８００ｍｍ、７００ｍｍ、６００ｍｍ、５００ｍｍ、４００ｍｍ、３００ｍｍ、２００ｍｍより小さくまたは約１００ｍｍより小さくし得る。具体的な実施例では、第３の基板３０の第５の表面３０Ａは、約５００ｍｍとし得る。第３の基板３０の球面曲率の実施例において、第５の表面３０Ａの縦方向および横方向の曲率半径は、ほぼ等しくし得る（例えば、約５００ｍｍ）。さらに別の実施例では、第３の基板３０は「自由形式」の形状を有するよう湾曲し得る（例えば、縦および／または横方向に沿って曲率が変化し得る）。第３の基板３０の曲率は、第３の基板３０をビューアに対して実質的に凸状または凹状とし得る。第３の基板３０は複数の別個の構成要素から互いに「ステッチ」されてより大きな第３の基板３０を形成してもよいことが理解される。ステッチされる実施例の第３の基板３０の別個の構成要素の寸法、厚みおよびまたは湾曲は、当該別個の構成要素間で等しくても違ってもよいことが理解される。
【００３９】
具体的な実施例で、第１の基板２２と第３の基板３０、および全ての中間層（例えば、半透過層４６）は、昇温において共に湾曲または曲げられて一致するペアを形成し、これによって第１の基板２２と第３の基板３０の間に高い曲率一致があるようにしてもよい。応力を低減する別のアプローチは、基板のうちの１つ（例えば、第３の基板３０）を薄くすることである。曲率が良好に合致しない場合でも、薄い基板は大きく低減された強度を有し得る。したがって、全体的な応力が低減され得る。基板の強度は厚みの３乗に関連するため、厚みの低減は、強度に大きく影響し、したがって基板および任意の中間層の応力に大きく影響する。さらに、薄い第３の基板３０は、以下により詳述するように、反射性の理由から有利となり得る。図示する実施例で、コンバイナ画面１８はビューアに対して第３の基板３０の後方に位置する半透過層４６を含む。こうした実施例では、薄い実施例の第３の基板３０を使用することは有利となり得る。プロジェクタ５０（図１Ａ）が半透過層４６と整合される場合には、本質的に２つの反射がある。第１の反射は半透過層４６からの１次反射である。第２の反射は第３の基板３０の第５の表面３０Ａからの反射である。第５の表面３０Ａからの反射は、反射防止コーティングが添加されない限り、ガラスの実施例の第３の基板３０の４％強である。最良の反射像では、反射像の強度に関係なく、１次反射と２次反射の間のオフセットをできる限り小さくすることが有益であり得る。薄い第３の基板３０は、２つの画像間のオフセットを低減する。反射防止コーティングが第３の基板３０の第５の表面３０Ａに添加される場合、第５の表面３０Ａからの反射は約０．５％より小さく、または約０．３％より小さく、または約０．２％より小さくなり得る。第３の基板３０の使用は、これが半透過層４６に対する保護（例えば、自動車環境において存在し得る引っ掻き、汚れ、水、埃等からの）を提供し得る点において有利であり得る。さらに、薄い第３の基板３０の実施例と第６の表面３０Ｂと第１の表面２２Ａの間の半透過層４６の位置は、コンバイナ画面１８内の反射防止層の低減または除去を可能にする。
【００４０】
次に図３Ａおよび３Ｂを参照すると、電気光学素子７８を含まないコンバイナ画面１８の実施例が示される。図３Ａを参照すると、コンバイナ画面１８は単一の基板（例えば、第１の基板２２）から形成され得る。図示する実施例で、半透過層４６は、第１の基板２２の第１の表面２２Ａ上に位置する。図示する実施例で、第１の基板２２は、図２Ａおよび２Ｂに関連して開示するコンバイナ画面１８の実施例に関連して記載するように湾曲している。半透過層４６が環境に露出しているため（つまり、基板によって被覆または保護されていない）、環境的露出から保護するために随意の保護層を半透過層４６上に配置してもよい。コンバイナ画面１８が第１の基板２２の第１の表面２２Ａ上に半透過層４６を含むこうした実施例は、基板が半透過層４６とビューアとの間に存在するために存在し得る二重反射を除去し得る点において有利となり得る。実際には第１の表面２２Ａからの反射率は、半透過層４６からの反射と比較した場合に、著しい二重像を生じない（例えば、第１の表面２２Ａからの反射率は約４％以下となり得る）ことが理解される。第１の表面２２Ａと第２の表面２２Ｂは本質的に平行とし得るため、２つの画像のオフセットは通常小さく、そのため第１の表面からの４％の反射率は不都合な二重像を生じない。薄い第１の基板２２（例えば、第３の基板３０に類似する）は、画像間のオフセットを低減し得る。１．６ｍｍより小さい第１の基板２２の厚みが好ましい。
【００４１】
次に図３Ｂを参照すると、半透過層４６は、第１の基板２２と第２の基板２６の間に位置するものとして示される。こうした実施例では、コンバイナ画面１８は半透過層４６の縁部を隠すための１つ以上の隠蔽構造体を含み得る。さらに、コンバイナ画面１８は、第１の表面２２Ａ〜第４の表面２６Ｂまでの上に位置する１つ以上の反射防止コーティングを含み得る。
【００４２】
次に図４Ａおよび図４Ｂを参照すると、動作中の、偏光されたビューイングウィンドウ１０４（例えば、偏光サングラス）を有する（図４Ｂ）および有しない（図４Ａ）よう図示される、ヘッドアップディスプレイ１０の実施例が示されている。コンバイナ画面１８の半透過層４６からの１次画像の反射を最大化するためには、プロジェクタ５０の偏光角を半透過層４６の反射偏光角に整合させることが望ましい。いずれの偏光角を使用してもよいが、偏光角の選択にあたってはいくつかの考慮事項がある。１つのケース（図４Ａ）では、半透過層４６の透過偏光角は、ほぼ垂直であり得、プロジェクタ５０が水平角偏光を有する光を放射する間、反射偏光角は実質的に水平角において整合される。こうした構成は、グレア（例えば、表面から反射された水平偏光された光）が、プロジェクタ５０からのほぼ全ての光を反射する間にコンバイナ画面１８を透過することを防止し得るという点において有利となり得る。例えば、５０％、６０％、７０％、８０％、９０％より大きい、または９９％より大きいプロジェクタ５０からの偏光された光がビューアに対して反射され得る。別のケース（図４Ｂ）では、プロジェクタ５０の偏光角がほぼ垂直となってコンバイナ画面１８の半透過層４６の反射偏光角もほぼ垂直となり得る。このケースでは、偏光サングラス（例えば、偏光ビューイングウィンドウ１０４または他の偏光ビューイングフィルタ）を着用している場合であっても、当該サングラスの透過偏光角も垂直であるために、プロジェクタ５０から反射された１次画像を容易に見ることができ得る。こうした実施例では、コンバイナ画面１８は、半透過層４６を透過する水平偏光された光がサングラスによって遮断されるためにほぼ不透明に見え、ビューアは１次画像をなおも視ることができ得る。プロジェクタが水平偏光された光を放射する実施例では、偏光されたビューイングウィンドウ１０４の使用によってビューアが利用可能な反射像が除去され得るが、コンバイナ画面１８は透明に見えるままとし得ることが理解される。さらに別のケースでは、プロジェクタ５０から放射された光と半透過層４６の反射偏光角は４５度に配向され得る。こうした実施例は、プロジェクタ５０からの光のいくらか、そしてコンバイナ画面１８を透過する光のいくらかを、サングラスを着用するビューアが視ることを可能とし得る。有利となり得る別の構成は、プロジェクタ５０からの円偏光された光と、反射円偏光の実施例の半透過層４６の使用である。この構成では、プロジェクタ５０は、第１の円偏光の光を放射し、半透過層４６は第１の円偏光の光を反射して第２の円偏光の光を透過し得る。  サングラス（例えば、偏光されたビューイングウィンドウ１０４）は、典型的には直線偏光されるため、第１の円偏光のいくらかと第２の円偏光のいくらかは偏光サングラスを通してビューアへと透過され得る。この構成では、ビューアは、頭部の向きに関係なく、偏光サングラスを着用したまま、投射像と周囲背景画像の両方を見ることができ得る。
【００４３】
本開示の使用により、いくつかの利点が提供され得る。第１に、反射偏光子の実施例の半透過層４６の使用により、コンバイナ画面１８の効率が増大し得る。反射偏光子は一方の偏光の光の反射と他方の光の透過の両方を行うため、プロジェクタ５０からの光を高い割合で反射すると同時にコンバイナ画面１８を透過する光の透過率を低減させることでコンバイナ画面１８のコントラストを増大させることができる。第３に、上記の開示は、ヘッドアップディスプレイ用の光と費用対効果の高いコンバイナ画面１８との生成を可能とする。電気光学素子７８は、かならずしも本明細書で提供する実施例において必要とされるわけではないため、コンバイナ画面１８は、湾曲した基板（例えば、第１の基板２２または第２の基板２６）上に半透過層４６を形成するシンプルなものとし得る。第４に、本明細書で提供するヘッドアップディスプレイ１０の実施例は、偏光サングラスおよび偏光ビューイングウィンドウ１０４を使用する場合でも機能し得る。第５に、コンバイナ画面１８はビューアによって経験されるグレアを低減すると同時に、日除けとしても機能する。第６に、反射偏光子を半透過層４６として利用する実施例では、ほとんどの表示光が通らないため、反射偏光子の後方の表面からの（例えば、プロジェクタ５０に対して）プロジェクタ５０からの光の大きな反射は存在しない。こうした実施例は、プロジェクタ５０と反射偏光子との間以外の表面における反射防止コーティングの低減または除去を可能にするという点において有利となり得る。第７に、エレクトロクロミックの実施例の電気光学素子７８の使用により、電気光学素子７８が故障した場合であっても周囲光がコンバイナ画面１８を透過し得る（つまり、コンバイナ画面１８がなおも使用され得る）ように、クリアまたは透明な状態の電気光学素子７８の故障モードが可能となり得る。さらに、エレクトロクロミックの実施例の電気光学素子７８の使用により、角度非依存のコンバイナ画面１８のグレースケールが可能となり得る。このため、コンバイナ画面１８のビューイング視点のシフトは、コンバイナ画面１８の周囲光減衰の知覚レベルまたは画像コントラストに影響し得ない。
【００４４】
当業者や本開示の製造者または使用者は、本開示の変形を思いつくであろう。従って、図面に図示され前述された実施形態は、単に例示を目的にしたものであって、本発明の範囲を限定することを意図したものではない。本発明の範囲は、以下の特許請求の範囲によって定義され、均等論を含む特許法の原則に従って解釈される。
【００４５】
記述された発明及び他の構成要素の構築は、いなかる特定の材料にも限定されないことが、当業者によって理解されるだろう。本明細書に開示された発明の他の例示的な実施形態は、本明細書に別段の記載がある場合を除き、広範な材料から形成され得る。
【００４６】
本開示用に、用語「ｃｏｕｐｌｅｄ（結合された）」（ｃｏｕｐｌｅ，ｃｏｕｐｌｉｎｇ，ｃｏｕｐｌｅｄなどその形式のすべてにおいて）は、直接的であれ間接的であれ、互いに２つの構成要素（電気的または機械的）が接合することを概して意味する。このような接合は、本質的に静止状態かまたは本質的に可動状態であってもよい。このような接合は、２つの構成要素（電気的または機械的）、ならびに、互いとまたは２つの構成要素と１つの単体として一体成形される付加的中間部材で、達成されてもよい。このような接合は、本質的に永続的であってよいか、または、別段の記載がない限り、本質的に取外し可能つまり遊離可能であってもよい。
【００４７】
例示的な実施形態において示されるような本開示の要素の構築および配置は、単に説明的であることに注意することも重要である。本発明の少数の実施形態だけが、本開示において詳細に記述されているが、本開示を検討する当業者は、列挙された主題の新規の教示および利点から逸脱することなく、多くの修正が可能（例えば、さまざまな要素のサイズ、寸法、構造、形および比率、パラメータ値、取り付け方法、材料の使用、色、向きなど）であることを容易に認識するだろう。例えば、一体成形として示される要素は、複数の部品が一体成形されてもよいように示される複数の部品または要素から構成されてもよく、インタフェースの操作が逆にまたは他の態様に変化されてもよく、システムの構造および／または部材またはコネクタまたは他の要素の長さまたは幅が変化されてもよく、要素間に提供された調整位置の性質または個数が変化されてもよい。システムの要素および／またはアセンブリは、任意の広範な色、質感、および組合せにおいて、十分な強度または耐久性を提供する、任意の広範な材料から構成されてもよい。その結果、すべてのこのような修正は、本発明の範囲内に含まれるように意図される。他の代用、修正、変化、および省略は、本発明の精神から逸脱することなく、所望の他の例示的な実施形態のデザイン、操作条件および配置において、なされ得る。
【００４８】
いずれの説明されたプロセスまたは説明されたプロセス内のステップも、その他の開示されたプロセスまたはステップと組み合わされ、本開示の範囲内で構造を形成し得ることが理解されるであろう。本明細書に開示された例示的な構造およびプロセスは、説明のためのものであり、制限として解釈してはならない。
【００４９】
変形および修正が、本開示の概念から逸脱することなく、前述の構造および方法においてなされ得ることも理解されるべきであり、さらに、このような概念は、特許請求の範囲がそれらの言葉で別段に明確に述べられていない限り、以下の特許請求の範囲に含まれるものとされることが理解されるべきである。更に、以下に記載される特許請求の範囲が、発明の詳細な説明に組み込まれ、その一部をなす。
【図１Ａ】
2018533075.tif 000003
【図１Ｂ】
2018533075.tif 000004
【図２Ａ】
2018533075.tif 000005
【図２Ｂ】
2018533075.tif 000006
【図２Ｃ】
2018533075.tif 000007
【図３Ａ】
2018533075.tif 000008
【図３Ｂ】
2018533075.tif 000009
【図４Ａ】
2018533075.tif 000010
【図４Ｂ】
2018533075.tif 000011
【国際調査報告】
2018533075.tif 000012
2018533075.tif 000013